(57)【特許請求の範囲】
【請求項１】
発光素子が実装される実装基板を基体の表面に有する複数の平板状の光源ユニットを備え、これら光源ユニットが各基体の裏面を内側に向けて軸線周囲に配列され、複数の光源ユニットからの各リード線を収容する収容体が前記軸線上に設けられ、
前記複数の光源ユニットを隣り合う前記光源ユニット間に隙間を設けて前記収容体に支持し、各基体の裏面側に空気が流通する空間を設け、
前記収容体は、複数の前記光源ユニットからの各リード線を前記空気が流通する空間に露出させずに収容したことを特徴とするランプ。
【請求項２】
前記複数の光源ユニットの一端が前記収容体に支持され、他端が前記収容体から延びる柱体の先端に支持されていることを特徴とする請求項１に記載のランプ。
【請求項３】
前記複数の光源ユニットの一端が前記収容体の周囲に片持ち支持されていることを特徴とする請求項１に記載のランプ。
【請求項４】
前記空間を、前記複数の光源ユニットの他端から前記軸線方向に外部に連通させたことを特徴とする請求項２又は３に記載のランプ。
【請求項５】
前記複数の光源ユニットの他端を結合部材で結合し、前記結合部材に、前記空間を前記軸線方向に外部に連通させる開口を設けたことを特徴とする請求項３又は４に記載のランプ。
【請求項６】
前記収容体に口金が設けられていることを特徴とする請求項１乃至５のいずれか一項に記載のランプ。
【請求項７】
前記複数の光源ユニットからの配線には、コネクタが取り付けられており、前記収容体の内部には前記コネクタを挿し込む基板が設けられていることを特徴とする請求項１乃至６のいずれか一項に記載のランプ。
【請求項８】
前記基体の裏面に、複数の放熱フィンが設けられていることを特徴とする請求項１乃至７のいずれか一項に記載のランプ。
【発明の詳細な説明】
【技術分野】
【０００１】
本発明は、例えばＬＥＤ（Ｌｉｇｈｔ  Ｅｍｉｔｔｉｎｇ  Ｄｉｏｄｅ）、有機ＥＬ（Ｅｌｅｃｔｒｏ  Ｌｕｍｉｎｅｓｃｅｎｃｅ）などの発光素子を光源に用いたランプに関する。
【背景技術】
【０００２】
近年、半導体発光素子の一種であるＬＥＤの高出力化、及び低コスト化に伴い、電球の代替として使用可能な口金型のＬＥＤランプが提案され、実用化されている（例えば、特許文献１参照）。
【先行技術文献】
【特許文献】
【０００３】
【特許文献１】特開２０１０−０１０１３４号公報
【発明の概要】
【発明が解決しようとする課題】
【０００４】
しかしながら、ＨＩＤ（Ｈｉｇｈ  Ｉｎｔｅｎｓｉｔｙ  Ｄｉｓｃｈａｒｇｅ）ランプのような高出力タイプのランプでは、代替として用いて好適なＬＥＤランプが無いのが現状である。
本発明は、上述した従来の技術が有する課題を解消し、発光素子を光源に用い、ＨＩＤランプのような高出力が可能なランプを提供することを目的とする。
【課題を解決するための手段】
【０００５】
上記目的を達成するために、本発明は、発光素子が実装される実装基板を基体の表面に有する複数の平板状の光源ユニットを備え、これら光源ユニットが各基体の裏面を内側に向けて軸線周囲に配列され、複数の光源ユニットからの各リード線を収容する収容体が前記軸線上に設けられ、前記複数の光源ユニットを隣り合う前記光源ユニット間に隙間を設けて前記収容体に支持し、各基体の裏面側に空気が流通する空間を設け、前記収容体は、複数の前記光源ユニットからの各リード線を前記空気が流通する空間に露出させずに収容したことを特徴とする。
【０００６】
また、本発明は、上記ランプにおいて、前記複数の光源ユニットの一端が前記収容体に支持され、他端が前記収容体から延びる柱体の先端に支持されていることを特徴とする。
【０００７】
また、本発明は、上記ランプにおいて、前記複数の光源ユニットの一端が前記収容体の周囲に片持ち支持されていることを特徴とする。
【０００８】
また、本発明は、上記ランプにおいて、前記空間を、前記複数の光源ユニットの他端から前記軸線方向に外部に連通させたことを特徴とする。
また、本発明は、上記ランプにおいて、前記複数の光源ユニットの他端を結合部材で結合し、前記結合部材に、前記空間を前記軸線方向に外部に連通させる開口を設けたことを特徴とする。
【０００９】
また、本発明は、上記ランプにおいて、前記収容体に口金が設けられていることを特徴とする。
【００１０】
また、本発明は、上記ランプにおいて、前記複数の光源ユニットからの配線には、コネクタが取り付けられており、前記収容体の内部には前記コネクタを挿し込む基板が設けられていることを特徴とする。
【００１１】
また、本発明は、上記ランプにおいて、前記基体の裏面に、複数の放熱フィンが設けられていることを特徴とする。
【発明の効果】
【００１２】
本発明によれば、発光素子が実装される実装基板を基体の表面に有する複数の平板状の光源ユニットを備え、これら光源ユニットが各基体の裏面を内側に向けて軸線周囲に配列され、複数の光源ユニットからの各リード線を収容する収容体が前記軸線上に設けられ、前記複数の光源ユニットを前記収容体に支持し、各基体の裏面側に空気が流通する空間を設けたため、複数の光源ユニットを軸線周囲に配列することで、ＨＩＤランプのような高出力タイプのランプ相当の明るさを得ることができるとともに、各基体の裏面側に空気が流通する空間を設けているため、放熱構造によりランプが大型化することなく、発光素子、及び、実装基板からの熱を、基体の裏面から効率良く放熱させることができる。これにより、発光素子を光源として用いて、当該発光素子を高出力化した場合でも、十分な冷却性能を得ることができ、明るさ、及び、大きさにおいて、ＨＩＤランプのような高出力な光が必要な照明の用途に用いて好適なランプを提供することができる。
【図面の簡単な説明】
【００１３】
【図１】本発明の実施形態に係るＬＥＤランプの構成を示す斜視図である。
【図２】ＬＥＤランプの構成を示す平面図である。
【図３】ＬＥＤランプの構成を示す断面図である。
【図４】ＬＥＤランプの構成を示す分解斜視図である。
【図５】支持体の構成を示す斜視図である。
【図６】光源ユニットの構成を示す斜視図である。
【図７】防水カバーを外した光源ユニットの内部を示す斜視図である。
【図８】光源ユニットの背面図である。
【図９】本発明の第２実施形態に係るＬＥＤランプの構成を示す斜視図である。
【図１０】ＬＥＤランプの分解斜視図である。
【図１１】第２実施形態の別の実施形態に係るＬＥＤランプの構成を示す分解斜視図である。
【図１２】本発明の第３実施形態に係るＬＥＤランプの構成を示す斜視図である。
【図１３】ＬＥＤランプの分解斜視図である。
【図１４】光源ユニットの断面図である。
【図１５】光源ユニットの内部を示す斜視図である。
【図１６】光源ユニットの背面図である。
【発明を実施するための形態】
【００１４】
以下、本発明の実施の形態を、図面を参照しながら説明する。
＜第１実施形態＞
図１〜図４は、本実施形態に係るＬＥＤランプ１の構成を示す図であり、図１は斜視図、図２は平面図、図３は断面図、図４は分解斜視図である。
ＬＥＤランプ１は、図１に示すように、発光素子の一例たるＬＥＤ１１を光源に用いた口金４０を備えた口金型のランプであり、口金４０を既設のソケットに装着して使用でき、ＨＩＤランプの発光管と同様に棒状に延び周囲の全体から略均等に放射光が放射され、なおかつＨＩＤランプのような高出力タイプの既存の放電ランプの代わりに用いることができる程度の光出力を有する。また、このＬＥＤランプ１は、屋外で使用可能にすべく、防水が図られている。
【００１５】
ただし、放電ランプは交流電力で点灯するが、ＬＥＤなどの発光素子は直流電力で点灯する。したがって、ＬＥＤ１１を光源としたＬＥＤランプ１を交流の商用電源で点灯させる場合には、商用電源を直流電力に変換する電源回路を通じてＬＥＤランプ１に直流電力を供給することとなる。本実施形態のＬＥＤランプ１は電源回路を内蔵せずに、ソケットの側に電源回路を設け、当該ソケットから口金を通じて直流電力が入力される構成となっている。換言すれば、このＬＥＤランプ１を既設の放電ランプ用の灯具に装着する場合には、灯具が備える安定器を電源回路に置き換えて使用する。
【００１６】
次いで、ＬＥＤランプ１の構成について詳述する。
ＬＥＤランプ１は、図１〜図４に示すように、上記口金４０と、この口金４０に対して垂直に柱状に延びる支持体２０と、支持体２０の下端部に口金４０を取り付ける取付体３５と、支持体２０によって周囲に支持される複数（本実施形態では３つ）の光源ユニット１０とを備えている。口金４０は、例えばＥ２６タイプやＥ３９タイプ等の一般的にＥ型口金と呼ばれるねじ込み式（回しこみ式）のものであり、既存のサイズに合わせて構成され、既設のソケットに螺合して装着可能になっている。口金４０には、図示せぬソケットを通じて直流電源が供給され、各光源ユニット１０に直列に供給される。なお、口金４０には差し込み式を用いても良い。
【００１７】
図５は、支持体２０の構成を示す斜視図である。
支持体２０は、光源ユニット１０を支持し、かつ光源ユニット１０と口金４０との間に延びるリード線２５（図３参照）を外部に露出することなく接続する部材であり、収容体３０と、柱体２６とを備えている。
【００１８】
収容体３０は、略円柱状を成し、この収容体３０の外周面３２には、光源ユニット１０をねじ止めするねじ孔２４が形成されており、このねじ孔２４の上方（上面３１側）にずれた位置にリード線２５を引き込む導入孔５４が形成されている。ねじ孔２４は、収容体３０の中心軸である軸線Ｋの周りに、支持すべき光源ユニット１０の数だけ等間隔に形成されている。すなわち、各ねじ孔２４に光源ユニット１０をねじ２２Ａでねじ止めすることで、これらの光源ユニット１０が軸線Ｋの周りに等間隔に支持される。光源ユニット１０は、後に詳述するが、平面視略直方形状を成し、下端側の端部がねじ２２Ａでねじ止めされ、軸線Ｋと略平行に上方に延びた片持ち支持の状態で支持される。また光源ユニット１０の上端側の他端部（他端）５３はねじ２２Ｂにより柱体２６に支持され、これらによって、光源ユニット１０が下端側、及び上端側の両端部で支持体２０に支持される。
【００１９】
収容体３０の外周面３２にあっては、ねじ孔２４、及び導入孔５４の周囲が、上記光源ユニット１０の裏面形状（本実施形態では平面状）に密着可能な形状（本実施形態では平面状）に形成されている。したがって、ねじ孔２４に光源ユニット１０をねじ止めして支持した状態においては、光源ユニット１０の裏面が導入孔５４の周囲に密着したシール状態で当該導入孔５４を覆うこととなり、光源ユニット１０の裏面側からリード線２５を引き出し、対向する導入孔５４を通じて収容体３０の内部に引き込むことで、リード線２５を外部に露出させない状態で光源ユニット１０と収容体３０の間に延ばすことができる。
【００２０】
上記柱体２６は、収容体３０によって片持ち支持された光源ユニット１０の支持を補うものとして機能し、収容体３０の軸線Ｋに沿って延びる柱状を成し、当該軸線Ｋと同軸に一体に設けられている。この柱体２６は、光源ユニット１０の裏面の全体に亘って密着して支持するのではなく、光源ユニット１０の裏面の大部分を露出するように支持する。具体的には、柱体２６は、支持すべき光源ユニット１０の数（本実施形態では３つ）の略板状のアーム（凸部）２１の各端部を結合した形状（本実施形態では断面略Ｙ字状）を成し、さらに、各アーム２１が軸線Ｋの周りに放射状に等間隔で延びた形状となっている。
【００２１】
各アーム２１の延在方向にねじ孔２４、及び導入孔５４が位置するように柱体２６が収容体３０の上面３１に立設されており、収容体３０に光源ユニット１０を上方に延ばした姿勢で取り付けたときに、当該光源ユニット１０の裏面にアーム２１が位置するように構成されている。光源ユニット１０の裏側には、各アーム２１の先端側の面が対向し、この面が光源ユニット１０の裏面に密着する平坦な接触面２１Ａとして構成されている。接触面２１Ａの上端側の端部には、ねじ孔２４Ｂが形成されており、このねじ孔２４Ｂに光源ユニット１０の上端側の端部がねじ２２Ｂでねじ止めされる。
【００２２】
ここで、柱体２６、及び収容体３０から成る支持体２０は、熱伝導性に優れた材料、例えば、アルミニウム合金材を押出成型して形成され、柱体２６のアーム２１には長手方向に延びる面に沿って延びる複数の放熱フィン２３を備えている。各アーム２１の接触面２１Ａには光源ユニット１０の裏面が密着するため、光源ユニット１０の熱がアーム２１に伝熱され、放熱フィン２３から効率良く放熱される。なお、アーム２１に設ける放熱フィン２３の形状は任意であり、アーム２１に凹凸形状に形成して設けられている構成であっても良い。
【００２３】
支持体２０のアーム２１は、その接触面２１Ａが長手方向に対して両端部よりも中央部分がわずかに高くなるように、つまり、光源ユニット１０の裏側の後述する当接部５１が当接する面が、わずかに湾曲する側方視弓形に形成されている。すなわち、光源ユニット１０は、長手方向の下端側、及び上端側の両端部をねじ２２Ａ，２２Ｂで支持体２０にねじ止めされるが、このねじ止めによって両端に支持体２０に押し付ける力が加わり、両端部が中央部５５（図８参照）よりも支持体２０側に寄った形状の側方視弓形の曲がりを生じやすい。この光源ユニット１０のねじ止め時の曲がりに密着するように上記アーム２１の接触面２１Ａが長手方向に湾曲して形成されているため、アーム２１と光源ユニット１０の密着性が高められ、光源ユニット１０の熱を、効率良く支持体２０に伝熱し放熱することができる。
【００２４】
収容体３０の外周面３２の底面側の縁部には、図５に示すように、外周に出張った鍔状のフランジ部３８が形成されており、このフランジ部３８の底面３４に、前記図３に示すように、口金４０を取り付ける取付体３５が水密に接合されている。
具体的には、取付体３５は、図３、及び図４に示すように、略円柱状の円柱部３９と、この円柱部３９の上端側の縁部に設けられ外周に出張った鍔状のフランジ部４１とを一体に備えている。このフランジ部４１の上面４１Ａ内には、防水を図るためのＯリング（図示せず）を嵌着するリング溝４２が縁部に沿って設けられており、取付体３５のフランジ部４１の上面４１Ａを収容体３０のフランジ部３８の底面３４に密着状態でねじ止めや接着等で結合することで防水が図られる。つまり、収容体３０は、底面３４が口金４０によって塞がれて、防水される。
【００２５】
取付体３５の円柱部３９には、下側から上記口金４０が冠着される。光源ユニット１０から収容体３０に引き込まれた正電位用、及び負電位用の一対のリード線２５、２５は、前掲図３に示すように、取付体３５の中を通って口金４０に電気的に接続される。
具体的には、各リード線２５、２５の先端には、雄コネクタ２７が取り付けられている。収容体３０の内部には、各導入孔５４に連通し、収容体３０の底面３４に至って開口する連通路３３が設けられ、各連通路３３にはパターンの形成された基板４５に設置された雌コネクタ４５Ａが挿入されている。各光源ユニット１０の実装基板１２からの配線は、導出孔１７と導入孔５４を通して、雌コネクタ４５Ａに接続され、雌コネクタ４５Ａが設置された基板４５のパターン上でまとめられて、直列に結線され、取付体３５に延びる。
【００２６】
取付体３５にも、図４に示すように、収容体３０の各連通路３３に接続する導入路３６が形成されており、各導入路３６からリード線２５、２５が導入される。取付体３５には、これら２本のリード線２５、２５を底面から引き出す通路３６Ａ、３６Ｂが形成されており、各通路３６Ａ、３６Ｂを通って引き出されたリード線２５、２５が口金４０に接続される。
この構成によれば、各光源ユニット１０から口金４０への配線接続作業性の向上、及び、配線を収容する収容体３０の小型化を図ることができる。
【００２７】
これにより、各光源ユニット１０と口金４０とがリード線２５、２５により電気的に接続され、口金４０を通じて供給される直流電力によって各光源ユニット１０が点灯する。このとき、リード線２５、２５は、光源ユニット１０と、支持体２０（より正確には収容体３０）とが面と面で密着する箇所に設けた導入孔５４、及び導出孔１７（後述）を通って光源ユニット１０から支持体２０に引き込まれるため、リード線２５、２５や導入孔５４、導出孔１７の外部への露出を防止し、これらの間の防水が得られる。
換言すれば、防水が図られた光源ユニット１０を支持体２０に設けることで、ＬＥＤランプ１の全体的な防水が得られることとなる。
【００２８】
図６は光源ユニット１０の構成を示す斜視図であり、図７は防水カバー１４を外して光源ユニット１０の内部を示す斜視図である。また図８は光源ユニット１０の背面図である。
【００２９】
光源ユニット１０は、上述の通り、ＬＥＤ１１を光源として放射光を放射するものであり、支持体２０の軸線Ｋに沿って延びる矩形状にモジュール化して構成されている。
本実施形態のＬＥＤランプ１では、３つの光源ユニット１０を備え、これらの光源ユニット１０が各基体１３の裏面１３Ｂを内側に向け、なおかつ、支持体２０の軸線Ｋと同一方向に延びる姿勢で、当該軸線Ｋの周囲に等間隔に環状に配列され、当該支持体２０によって支持されている。これにより、軸線Ｋの全周囲に亘る範囲に光が放射されることとなる。
これら光源ユニット１０は、全て同一構造、及び形状となっており、光出力が異なるＬＥＤランプ１を構成する際には、所望の光出力に応じた数の光源ユニット１０が支持体２０に周囲に配列される。
このＬＥＤランプ１では、光源ユニット１０を軸線Ｋの周りに配置するに際し、隣合う光源ユニット１０の間に隙間Ｇを設けることしているが、これについては後述する。
【００３０】
光源ユニット１０の構成について詳述すると、前掲図４、及び図６〜図８に示すように、光源ユニット１０は、ＬＥＤ１１を実装した実装基板１２と、この実装基板１２が図示せぬ電気絶縁部材を挟んで表面１３Ａに取り付けられる基体１３とを備えている。
実装基板１２は、略矩形板状のプリント配線基板であって、その表面には、複数のＬＥＤ１１と、リード線２５、２５が半田付けされて充電部を構成する電極パターン１６とが設けられている。
【００３１】
ＬＥＤ１１は、多数のＬＥＤ素子、本実施例では、２４０個のＬＥＤ素子、を例えば格子状に平面視略矩形の範囲内に配列し、その表面を樹脂材で薄い厚みでモールドして成るものであり、その略全面が発光する。この実装基板１２には、図７に示すように、複数（図示例では３つ）のＬＥＤ１１が略隙間無く直列に配列されており、これらＬＥＤ１１によって線状の発光が得られるようになっている。このように、ＬＥＤ１１は、多数のＬＥＤ素子から成り、全体が光るように構成されているため、発光面積が大きくなり、眩しさを軽減する効果を有する。
また実装基板１２の表面積に対しＬＥＤ１１が占める領域の割合いが過半以上を占めるようになっており、実装基板１２の表面が全体的に発光しているようにみせている。
電極パターン１６は、実装基板１２の端部に形成され、図示を省略したプリント配線を通じて各ＬＥＤ１１に直列又は並列に電気的に接続されている。
【００３２】
基体１３は、例えばアルミニウム等の高熱伝導性を有する金属材を押出成型して矩形板状に構成したものであり、実装基板１２をパッケージする基体、並びにＬＥＤ１１の発熱を受けて放熱するヒートシンクとして機能する。
さらに詳述すると、図７に示すように、基体１３は、実装基板１２を内部に収容可能な大きさの薄板状（表裏が平面な板状）に形成され、その表面１３Ａには、実装基板１２を略面一に収める凹部としての実装部１３Ｃが形成されている。前掲図４に示すように、実装部１３Ｃは、実装基板１２と密着する形状である平面状に形成されており、当該実装基板１２から基体１３への伝熱性が高められている。
基体１３の短手方向の両側面略中央部は、短手方向外側に膨出した膨出部１２Ａが形成されており、各膨出部１２Ａには、実装部１３Ｃに収められた実装基板１２を押さえ付けるねじ１２Ｂがねじ止めされている。
【００３３】
図７に示すように、基体１３の実装部１３Ｃには、実装基板１２の電極パターン１６に近い側の一端部（一端）５２の側に、基体１３の表裏に貫通し、実装基板１２に接続されたリード線２５、２５を裏面側に引き出すための導出孔１７が設けられている。この導出孔１７が近い一端部５２には、支持体２０の収容体３０にねじ止めするねじ２２Ａを通す切欠き１９Ａが設けられている。また、基体１３の他端部５３にも同様に、支持体２０のアーム２１にねじ止めするねじ２２Ｂを通す切欠き１９Ｂが設けられており、これら両端部５２、５３で支持体２０にねじ止め固定される。
【００３４】
上記導出孔１７は、基体１３を支持体２０に固定したときに、収容体３０の導入孔５４に繋がる位置に設けられている。これにより、上述の通り、実装基板１２の電極パターン１６に接続されたリード線２５、２５が導出孔１７、及び導入孔５４を通じて外部に露出することなく収容体３０の内部に引き込まれることとなる。
基体１３の裏面１３Ｂに開口する導出孔１７は、適宜のシール材によってシールされており裏面１３Ｂ側の防水が図られている。
【００３５】
基体１３の表面１３Ａの側の防水構造について説明すると、この表面１３Ａには、図７に示すように、実装部１３Ｃを囲む溝１８が形成されており、この溝１８には、図示は省略するが、防水用パッキンが嵌め込まれ、当該防水用パッキンを押し潰すように、図６に示すように、防水カバー１４が取り付けられている。また、基体１３の表面１３Ａと防水カバー１４との防水性のために、溝１８に防水用パッキンを嵌め込む他に、当該溝１８にコーキング剤を充填する構成であっても良い。
防水カバー１４は、透光性のある材料、例えば樹脂材を用いて、平面視楕円形状、かつ、断面半円形状に形成されたドーム状のカバー部１０４を備える。防水カバー１４のカバー部１０４の周囲には、基体１３の表面１３Ａに当接し、溝１８に嵌め込まれる防水パッキン、或いは、コーキング剤を表面１３Ａに押し付ける平板フランジ１１４が一体に形成されている。これにより、平板フランジ１１４と溝１８の防水パッキンの密着により、その内側の実装部１３Ｃへの水の浸入を防止でき、実装基板１２や充電部が浸水から保護される。
【００３６】
この構成によれば、光源ユニット１０を防水構造にするために、例えば、ランプ１全体を防水のカバーで覆った場合には、空気の対流が滞るため、十分な冷却効果を得られないが、本実施形態によれば、個別の光源ユニット１０のＬＥＤ１１及び、ＬＥＤ１１を実装する実装基板１２のみを防水カバーで覆うことにより、防水構造を実現している。これにより、ランプ１は、各光源ユニット１０のＬＥＤ１１及び、ＬＥＤ１１を実装する実装基板１２の防水構造を実現することができるとともに、その他の部分を外気に露出する構造とし、高い冷却効果を得ることができる。
【００３７】
以上の構成により、防水構造の光源ユニット１０が構成される。そして、かかる光源ユニット１０から延びるリード線２５、２５が、当該光源ユニット１０が密着してシールされる面内に設けた導入孔５４から支持体２０（収容体３０）の中に引き込まれるため、ＬＥＤランプ１の全体の防水が簡単に図られる。
【００３８】
防水カバー１４の基体１３への取付構造について説明すると、平板フランジ１１４の各隅部１４Ａには、防水カバー１４を基体１３に係止させる係止部１４Ｂが設けられる。各係止部１４Ｂの先端には、防水カバー１４を、基体１３の表面１３Ａに載置した際に、基体１３の裏面１３Ｂに引っ掛けられる係止爪１４Ｃが設けられている。防水カバー１４を、基体１３に取り付ける際には、係止部１４Ｂを弾性変形させて、係止爪１４Ｃを基体１３の側面に当接させた状態で係止爪１４Ｃが基体１３の裏面１３Ｂに引っ掛かるまで押し込む。基体１３の側面には、防水カバー１４の係止部１４Ｂに係止し、防水カバー１４が基体１３の長手方向にスライドするのを防止するストッパー１３Ｄが設けられる。これらの構成によれば、簡単な構造で、光源ユニット１０の防水をすることができる。また、防水カバー１４を基体１３にねじ等を用いることなく、簡単に取り付けることができ、組み立て性が向上する。
【００３９】
ところで、このＬＥＤランプ１では、ＨＩＤランプのような高い光出力を得るために、ＬＥＤ１１の各ＬＥＤ素子を高出力化し、及び／又はＬＥＤ素子数を増やしている。このため、ＬＥＤ１１の個々の発熱が非常に多く、当該ＬＥＤ１１を光源とする光源ユニット１０には高い放熱性（冷却性）が求められる。特に、口金型のＬＥＤランプ１にあっては、灯具等とは異なり、それ単体で発熱を処理する必要があるため、高出力化が困難となっていた。
そこで本実施形態では、ＬＥＤランプ１の放熱性を次のようにして高めることとしている。
【００４０】
すなわち、光源ユニット１０にあっては、高熱伝導性材料から形成した基体１３の表面１３Ａに上記実装基板１２を密着させて設けるとともに、図８に示すように、基体１３の裏面１３Ｂに多数の放熱フィン１５を一体に設け、実装基板１２のＬＥＤ１１の発熱が放熱フィン１５を通じて放熱されるようになっている。
更に詳述すると、基体１３の裏面１３Ｂには、支持体２０のアーム２１の接触面２１Ａが当接することとなるが、接触面２１Ａの幅は、基体１３の裏面１３Ｂの幅Ｗよりも十分に小さく（本実施形態では約３分の１程度）、残余の部分が露出するように構成されている。本実施形態では、基体１３の裏面１３Ｂの略中央に長手方向に沿って上記アーム２１の接触面２１Ａが接触し、その両脇にアーム２１と平行して延びる上記放熱フィン１５が３本ずつ設けられている。これらの放熱フィン１５は基体１３の両端に設けた防水カバー１４のずれを防止する各ストッパー１３Ｄとの間であって、より正確には、膨出部１２Ａと各ストッパー１３Ｄの間に亘って設けられている。つまり、放熱フィン１５は、４つのセクションに別れてそれぞれ３本ずつ設けられている。
【００４１】
これら各セクションの３本の放熱フィン１５は、それぞれ前掲図２に示すように、内側（アーム２１の側）から外側に向かって高さが低くなるように高さが異なる３つ放熱フィン１５から構成される。この構成によれば、基体１３の表面１３Ａに設けられたＬＥＤ１１の近傍の放熱面積を大きくすることで、ＬＥＤ１１の熱を効率良く放熱させることができ、全ての放熱フィン１５を同じ大きさに形成するのにくらべて光源ユニット１０の軽量化も図ることができる。
【００４２】
かかる光源ユニット１０を支持体２０のアーム２１に支持した際には、アーム２１が光源ユニット１０の幅Ｗよりも狭い接触面２１Ａで接触することから、前掲図２に示すように、基体１３の裏面１３Ｂ側に、支持体２０の軸線Ｋに沿って延びる空間Ｒが支持体２０との間に形成される。この空間Ｒは、各光源ユニット１０の裏面１３Ｂの上端から下端にかけて延びて外部と繋がる通風路として機能する。したがって、各光源ユニット１０の裏面１３Ｂの放熱フィン１５からＬＥＤ１１の発熱を十分に放熱できる。換言すれば、光源ユニット１０が単体でＬＥＤ１１の発熱を十分に放熱できる性能を有することで、支持体２０側への伝熱に頼らずとも十分な放熱性能を備えたＬＥＤランプ１が構成できる。これにより、支持体２０の材料を熱伝導性能に拘わらずに選択することができ、安価な材料を用いることもでき低コスト化を図ることもできる。
勿論、本実施形態のように、アーム２１を含む支持体２０を高熱伝導材料で形成することで、光源ユニット１０の発熱を支持体２０に伝熱させて放熱を補助し、より高い放熱性を持たせることができる。
【００４３】
また、上述の通り、支持体２０の軸線Ｋの周りには、光源ユニット１０が各々隙間Ｇを設けて配置されるため、この隙間Ｇが上記空間Ｒに連通し、空間Ｒを空気が流通し易くなっている。これにより、上記空間Ｒに面した放熱フィン１５からの放熱性が高められる。
【００４４】
以上説明したように、本実施形態のＬＥＤランプ１によれば、次の効果を奏する。
すなわち、本実施形態によれば、ＬＥＤ１１が実装される実装基板１２を基体１３の表面１３Ａに有する複数の平板状の光源ユニット１０を備え、これら光源ユニット１０が各基体１３の裏面１３Ｂを内側に向けて軸線Ｋ周囲に配列され、複数の光源ユニット１０からの各リード線２５、２５を収容する収容体３０が当該軸線上に設けられ、複数の光源ユニット１０を収容体３０に支持し、各基体１３の裏面１３Ｂ側に空気が流通する空間Ｒを設けている。
これにより、複数の光源ユニット１０を、軸線Ｋ周囲に配列したため、ＨＩＤランプのような高出力タイプのランプ相当の明るさを得ることができる。また、ＬＥＤ１１、及び、ＬＥＤ１１が実装される実装基板１２を光源ユニット１０として、ユニット化したため、用いる光源ユニット１０の枚数を変更することで、ＬＥＤランプ１の出力をかえることができ、例えば、１００Ｗ、２００Ｗ、３００Ｗ、或いは、４００ＷのＨＩＤランプに相当する、明るさの異なるＬＥＤランプ１を共通の光源ユニット１０を用いて製造することが可能となる。また、ＬＥＤランプ１では、光源ユニット１０をモジュール化したため、メンテナンス時には、光源ユニット１０は、ユニット毎に交換可能であり、ＬＥＤランプ１のメンテナンス性を向上することができる。さらに、複数の光源ユニット１０を各基体１３の裏面１３Ｂを内側に向けて、収容体３０に支持し、各基体１３の裏面１３Ｂ側に空気が流通する空間Ｒを設けたため、ＬＥＤランプ１を大型化することなく、ＬＥＤ１１、及び、実装基板１２からの熱を、基体１３の裏面１３Ｂから効率良く放熱させることができる放熱構造を形成することができる。そのため、ＬＥＤ１１を光源として用いて、明るさ、及び、大きさにおいて、高出力タイプのＨＩＤランプの代替となり得るＬＥＤランプ１を提供することができるとともに、光源ユニット１０を共通部品化し、出力の異なるＬＥＤランプ１を容易に、かつ、低コストに製造することができる。
【００４５】
また、本実施形態によれば、基体１３の裏面１３Ｂに、複数の放熱フィン１５を設け、放熱フィン１５間を空気が流通するように支持体２０に支持されているため、放熱フィン１５から、基体１３の表面１３Ａに設けられたＬＥＤ１１、及び、実装基板１２の熱を効率良く放熱させることができる。
【００４６】
また、本実施形態によれば、複数の光源ユニット１０の一端部（一端）５２が収容体３０に支持され、他端部５３が収容体３０から延びる支持体２０の先端に支持されているため、光源ユニット１０を、安定して支持することができる。
【００４７】
また、本実施形態によれば、収容体３０に口金４０が設けられているため、口金４０で、ＬＥＤランプ１を既存の灯具のソケットに接続することができ、灯具のソケット、或いは、灯具を変更することなく、簡単にＬＥＤランプ１をＨＩＤランプ等の代替として用いることができる。
【００４８】
また、本実施形態によれば、複数の光源ユニット１０からの配線２５には、雄コネクタ２７が取り付けられており、収容体３０の内部にはコネクタ２７を挿し込む基板４５が設けられているため、各光源ユニット１０の実装基板１２からの配線２５を、基板４５のパターン上でまとめて、直列に結線することができ、各光源ユニット１０から口金４０への配線接続作業性の向上、及び、配線を収容する収容体３０の小型化を図ることができる。
【００４９】
＜第２実施形態＞
上述した第１実施形態では、光源ユニット１０の両端部５２、５３を収容体３０及び柱体２６からなる支持体２０の周囲に両持ち支持する構成について例示した。しかしながら、支持体２０は、柱体２６が省略された構成でも良い。本実施形態では、収容体３０のみからなる支持体２０の周囲、つまり、収容体３０に光源ユニット１０を片持ち支持する構成について説明する。
【００５０】
図９は、本実施形態に係るＬＥＤランプ１００の構成を示す斜視図であり、図１０はＬＥＤランプ１００の分解斜視図である。なお、これらの図において、第１実施形態のＬＥＤランプ１と同一の構成については、同一の符号を付し、その説明を省略する。
【００５１】
これらの図９、図１０に示すように、光源ユニット１０は、軸線Ｋ周囲にその一端部５２が収容体３０に片持ち支持されている。
この構成により、ＬＥＤランプ１００の軽量化を図る事ができるとともに、光源ユニット１０の基体１３の裏面１３Ｂ側に広い空間Ｒを設けることができ、多くの空気をこの空間Ｒに流通させることができる。これにより、基体１３の裏面１３Ｂ側からの放熱効率を向上することができ、光源ユニット１０に設けられたＬＥＤ１１、及び、実装基板１２からの熱を効率良く放熱させることができる。また、光源ユニット１０がその一端部５２を収容体３０の周囲に片持ち支持させた場合には、基体１３の裏面１３Ｂ全体を放熱面とすることができる。そして、基体１３の裏面１３Ｂには、図１１に示すように、裏面１３Ｂの長手方向に延びる放熱フィン１１５を短手方向に複数隙間なく並べて設けて、裏面１３Ｂの放熱面積を広くする構成であっても良い。
【００５２】
図１１は、第２実施形態の別の実施形態のＬＥＤランプ１０１を示す図である。ＬＥＤランプ１０１は、図１１に示すように、複数の光源ユニット１０が、収容体３０の周囲に一端部５２が片持ち支持されて備えられるとともに、光源ユニット１０の他端部５３が結合部材６２で連結され、互いに固定されている。なお、結合部材６２については、以下に述べる第３実施形態で詳述する。
また、ＬＥＤランプ１０１は、取付体３５のフランジ部４１に、円柱部３９に対して所定角度で形成されたテーパー面４１Ｂを備える。テーパー面４１Ｂの円柱部３９に対する角度は、口金４０を取付体３５に半田付けして固定する際の作業性を良くすることができる任意の角度に設定されている。
【００５３】
＜第３実施形態＞
上述した第１実施形態では、光源ユニット１０は、一端部５２が収容体３０に支持され、他端部５３が、収容体３０の上面から軸線Ｋに沿って延びる柱体２６に支持される構成であった。また、柱体２６は、軸線Ｋの周りに放射状に延びる板状のアーム２１を備え、アーム２１を光源ユニット１０の裏面に密着させて光源ユニット１０を支持していた。ところで、ＬＥＤランプ１は、軸線Ｋを垂直方向に配置して用いる垂直点灯の他に、軸線Ｋを水平方向に配置して水平点灯させることも可能である。
しかしながら、熱は、下側から上側へ向かって流れるため、ＬＥＤランプ１を水平点灯させた場合には、水平点灯時に下側に配置される光源ユニット１０から放熱された熱の流れが柱体２６によって妨げられ、効率よく放熱させることができなかった。また、水平点灯時に下側に配置される光源ユニット１０から放熱された熱によって柱体２６が熱せられると共に、熱がアーム２１を介して光源ユニット１０に伝熱されていた。さらに、柱体２６は金属製の部材であり、ＬＥＤランプ１全体としての総重量の増加につながっていた。
【００５４】
また、ＬＥＤランプ１は、柱体２６の軸方向にＬＥＤ１１を配置しているため、ＬＥＤランプ１の重心が先端側によっていた。そのため、水平点灯用に設置されているＬＥＤランプ１が振動等を受けた際には、重心位置から離れた位置にある口金４０やソケットに過負荷がかかっていた。特に、複数の光源ユニット１０が用いられる高出力タイプのＬＥＤランプ１では、放熱される熱量も多く、総重量も大きいため、水平点灯時に、上側の光源ユニット１０が熱によって短寿命になる、或いは、口金４０やソケットなどが破損する等の問題が起こる可能性があった。
この第３実施形態は、上述した技術が有する課題を解消し、軽量で、放熱効率に優れたＬＥＤランプ１０２を提供することを目的とする。なお、以下の説明において、第１実施形態のＬＥＤランプ１と同一の構成については、図中に同一の符号を付し、その説明を省略する。
【００５５】
図１２は、本願の第３実施形態に係るＬＥＤランプ１０２の構成を示す斜視図であり、図１３はＬＥＤランプ１０２の分解斜視図である。
ＬＥＤランプ１０２は、図１２及び図１３に示すように、口金４０と、この口金４０に対して垂直に設けられる収容体１３０と、収容体１３０の下端部に口金４０を取り付ける取付体３５と、収容体１３０の周囲に支持される複数（本実施形態では４つ）の光源ユニット１１０とを備えている。収容体１３０は、光源ユニット１１０を支持し、かつ光源ユニット１１０と口金４０との間に延びるリード線２５（図３参照）を外部に露出することなく接続する部材である。
【００５６】
収容体１３０は、略円柱状を成し、この収容体１３０の外周面１３２には、光源ユニット１１０をねじ止めするねじ孔２４が形成されており、このねじ孔２４の上方（上面３１側）にずれた位置にリード線２５を引き込む導入孔５４が形成されている（図１１参照）。ねじ孔２４は、収容体１３０の中心軸である軸線Ｋの周りに、支持すべき光源ユニット１１０の数だけ等間隔に形成されている。すなわち、各ねじ孔２４に光源ユニット１１０をねじ２２Ａでねじ止めすることで、これらの光源ユニット１１０が軸線Ｋの周りに等間隔に支持される。また、収容体１３０は、ねじ孔２４とフランジ部３８との間が所定の長さの円柱状に形成され、このねじ孔２４とフランジ部３８との間の外周面１３２には、型番等が書き込まれる銘板エリア１３３が設けられる。
光源ユニット１１０は、平面視略直方形状を成し、下端側の一端部５２がねじ２２Ａで収容体１３０にねじ止めされ、軸線Ｋと略平行に上方に延びた片持ち支持の状態で支持される。また複数の光源ユニット１１０の一端部５２とは反対の端部である他端部５３は、結合部材６２によって互いに結合されて支持される。
【００５７】
結合部材６２は、剛性に優れた金属材量等から形成され、複数の光源ユニット１１０の一端部５２とは反対の端部である他端部５３を結合する多角形の環状（リング状）に形成され、後述する空間Ｒ１を軸線Ｋ方向に外部に連通させる開口６２Ａを備える。なお、結合部材６２は、リング状の他に、少なくとも１つの開口を有する板状に形成されている構成であっても良い。結合部材６２は、一端部５２が収容体１３０の周囲に固定された光源ユニット１１０の他端部５３を所定の位置に固定することができる形状に予め形成される。さらに、結合部材６２は、ＬＥＤランプ１０２の水平点灯時等に光源ユニット１１０の重さにより継続的に荷重されても変形しない強度に形成されている。
結合部材６２は、各光源ユニット１１０の上端面に面で接触する端面押さえ部６８Ａと、各光源ユニット１１０を外周側から押さえる外周押さえ部６８Ｂとを備える。結合部材６２は、光源ユニット１１０の裏面６３Ｂに突設されたねじ固定部６７に他端部側から螺合されるねじ６６で開口６２Ａ側から光源ユニット１１０に固定される。
【００５８】
この構成によれば、光源ユニット１１０の他端部５３を、結合部材６２によって互いに連結して支持したため、各光源ユニット１１０を収容体１３０に固定し支持しただけの構成に比べて、ＬＥＤランプ１０２の強度を向上することができる。例えば、光源ユニット１１０を収容体１３０にねじ２２Ａで固定しただけでは、光源ユニット１１０と収容体１３０の間に介装される後述のＯリング（図示略）の反発などにより外側方に反ってしまう可能性がある。本実施形態では、ねじ２２Ａでねじ締めされる一端部５２とは反対の他端部５３を、結合部材６２によって互いに連結して支持することで、光源ユニット１１０の反りを防止することができる。また、結合部材６２で光源ユニット１１０を連結することで、光源ユニット１１０の位置決めをすることができ、光源ユニット１１０を収容体１３０の軸線Ｋに対して平行に支持することができる。
【００５９】
光源ユニット１１０は、ＬＥＤ１１を光源として放射光を放射するものであり、収容体１３０の軸線Ｋに沿って延びる矩形状にモジュール化して構成されている。ＬＥＤランプ１０２では、複数の光源ユニット１１０が各基体６３の裏面６３Ｂを内側に向け、なおかつ、収容体１３０の軸線Ｋと同一方向に延びる姿勢で、当該軸線Ｋの周囲に等間隔に環状に配列され、当該収容体１３０に片持ち支持されている。これにより、軸線Ｋの全周囲に亘る範囲に光が放射されることとなる。光源ユニット１１０は、全て同一構造、及び形状となっており、光出力が異なるＬＥＤランプ１０２を構成する際には、所望の光出力に応じた数の光源ユニット１１０が収容体１３０の周囲に配列される。
【００６０】
光源ユニット１１０は、ＬＥＤ１１を実装した実装基板１２と、この実装基板１２が図示せぬ電気絶縁部材を挟んで表面６３Ａに取り付けられる基体６３とを備えている。基体６３は、例えばアルミニウム等の高熱伝導性を有する金属材を押出成型して矩形板状に構成したものであり、実装基板１２をパッケージする基体、並びにＬＥＤ１１の発熱を受けて放熱するヒートシンクとして機能する。さらに詳述すると、図１５に示すように、基体６３は、実装基板１２を内部に収容可能な大きさの薄板状（表裏が平面な板状）に形成され、その表面６３Ａには、実装基板１２を略面一に収める凹部としての実装部６３Ｃが形成されている。実装部６３Ｃは、実装基板１２と密着する形状である平面状に形成されており、当該実装基板１２から基体６３への伝熱性が高められている。
【００６１】
収容体１３０の外周面１３２にあっては、ねじ孔２４、及び導入孔５４の周囲が、上記光源ユニット１０の裏面形状に密着可能な形状に形成されている。また、基体６３の裏面６３Ｂには、図１６に示すように、導出孔１７の外周に沿って突設された壁部１７Ａが設けられ、当該壁部１７Ａの周囲には、不図示のＯリングが環装される。そして、ねじ孔２４に光源ユニット１１０をねじ止めして支持した状態においては、壁部１７Ａが導入孔５４に挿入されて、Ｏリングが基体６３の裏面６３Ｂと収容体１３０の外周面１３２との間で潰されるとともに、光源ユニット１１０の裏面６３Ｂが導入孔５４の周囲に密着したシール状態で当該導入孔５４を覆う。これにより、光源ユニット１１０の裏面６３Ｂ側からリード線２５を引き出し、対向する導入孔５４を通じて収容体１３０の内部に引き込むことで、リード線２５を外部に露出させない状態で光源ユニット１１０と収容体１３０の間に延ばすことができる。
【００６２】
基体６３の表面６３Ａの側の防水構造について説明すると、この表面６３Ａには、図１５に示すように、実装部６３Ｃを囲む充填溝６８が形成されている。この充填溝６８には、図１４に示すように、防水用のコーキング剤６９が充填され、このコーキング剤６９によって、基体６３の表面６３Ａとの隙間が埋められて、防水カバー６４が取り付けられている。これにより、防水カバー６４と、基体６３の表面６３Ａとの間の防水が保たれ、光源ユニット１１０の内側の実装部６３Ｃへの水の浸入を防止でき、実装基板１２や充電部が浸水から保護される。
【００６３】
防水カバー６４は、透光性のある材料、例えば樹脂材を用いて、平面視楕円形状、かつ、断面半円形状に形成されたドーム状のカバー部１０４を備える。防水カバー６４のカバー部１０４の周囲にはフランジ部１０５が設けられる。フランジ部１０５の底面側には、基体６３の外周縁６３Ｄに当接し面接触する第１フランジ部１０５Ａと、カバー部１０４の内側縁に沿って設けられ、充填部６８とフランジ部１０５との間に隙間を形成する第２フランジ部１０５Ｂとを備える。第２フランジ部１０５Ｂによって、防水カバー６４と基体表面６３Ａとの間に形成される隙間Ｇ１は、基体６３と防水カバー６４によって光源ユニット１１０の内側に形成される空間Ａに連通する。また、第１フランジ部１０５Ａと第２フランジ部１０５Ｂの連結部１０５Ｃには、基体６３の外周縁６３Ｄと充填溝６８の段差に対応する位置にテーパー加工が施されている。
【００６４】
これらの構成によれば、基体６３に防水カバー６４を被せたときに、充填溝６８に充填されたコーキング剤６９が、外周縁６３Ｄによって光源ユニット１１０の外側にはみ出るのが堰き止められる。また、防水カバー６４のフランジ部１０５に、外周縁６３Ｄと充填溝６８の段差に対応する位置にテーパー加工された連結部１０５Ｃを設けたため、充填溝６８に外周縁６３Ｄに沿ってコーキング剤が溜まり込む部分を設け、基体６３の表面６３Ａの側の防水を確実に図ることができる。また、第２フランジ部１０５Ｂによって、防水カバー６４と基体表面６３Ａとの間に形成される隙間Ｇ１が光源ユニット１１０の内側の空間Ａに連通しているため、充填溝６８に塗布されるコーキング剤６９の塗布量がばらついて、充填溝６８に収まりきらずにはみ出しても、光源ユニット１１０の外側にははみ出さず、内側に向かってはみ出すため、光源ユニット１１０の外観を損ねることがない。
【００６５】
この構成によれば、光源ユニット１１０を防水構造にするために、例えば、ＬＥＤランプ１０２全体を防水のカバーで覆った場合には、空気の対流が滞るため、十分な冷却効果を得られないが、本実施形態によれば、個別の光源ユニット１１０のＬＥＤ１１及び、ＬＥＤ１１を実装する実装基板１２のみを防水カバー６４で覆うことにより、防水構造を実現している。これにより、ＬＥＤランプ１０２は、各光源ユニット１１０のＬＥＤ１１及び、ＬＥＤ１１を実装する実装基板１２の防水構造を実現することができるとともに、その他の部分を外気に露出する構造とし、高い冷却効果を得ることができる。
【００６６】
以上の構成により、防水構造の光源ユニット１１０が構成される。そして、かかる光源ユニット１１０から延びるリード線２５、２５が、当該光源ユニット１１０が密着してシールされる面内に設けた導入孔５４から収容体１３０の中に引き込まれるため、ＬＥＤランプ１０２の全体の防水が簡単に図られる。
【００６７】
次に、防水カバー６４の基体６３への取付構造について説明する。防水カバー６４は、フランジ部１０５の各隅部には、防水カバー６４を基体６３に係止させる係止部１４Ｂが設けられる。各係止部１４Ｂの先端には、防水カバー６４を、基体６３の表面６３Ａに載置した際に、基体６３の裏面６３Ｂに引っ掛けられる係止爪１４Ｃが設けられている。防水カバー６４を、基体６３に取り付ける際には、係止部１４Ｂを弾性変形させて、係止爪１４Ｃを基体６３の側面に当接させた状態で係止爪１４Ｃが基体６３の裏面６３Ｂに引っ掛かるまで押し込む。基体６３の側面には、防水カバー６４の係止部１４Ｂに係止し、防水カバー６４が基体６３の長手方向にスライドするのを防止するストッパー１３Ｄが設けられる。
【００６８】
防水カバー６４の一端部６４Ａには、図１２および図１３に示すように、光源ユニット１１０を収容体１３０にねじ止めして固定するためのねじ２２Ａが挿入される孔６４Ｂが設けられる。これにより、防水カバー６４の一端部６４Ａは、ねじ２２Ａによって基体６３と共に収容体１３０にねじ止めされて固定される。
防水カバー６４は、他端部６４Ｃが、光源ユニット１１０の他端部５３と端面が略面一になるように構成される。防水カバー６４の他端部６４Ｃは、光源ユニット１１０の他端部５３を結合部材６２で連結し、結合部材６２をねじ６６でねじ固定部６７に固定した状態で、基体６３と、結合部材６２の外周押さえ部６８Ｂによって挟持される。
【００６９】
これらの構成によれば、防水カバー６４の一端部６４Ａをねじ２２Ａで基体６３に対して固定することができるとともに、他端部６４Ｃを結合部材６２で周囲から保持することができる。このように、防水カバー６４の両端部６４Ａ，６４Ｃを基体６３に対して保持することができるため、防水カバー６４の外れや落下を防ぐことができ、光源ユニット１１０を確実に防水することができる。
【００７０】
ところで、このＬＥＤランプ１０２では、ＨＩＤランプのような高い光出力を得るために、ＬＥＤ１１の各ＬＥＤ素子を高出力化し、及び／又はＬＥＤ素子数を増やしている。このため、ＬＥＤ１１の個々の発熱が非常に多く、当該ＬＥＤ１１を光源とする光源ユニット１１０には高い放熱性（冷却性）が求められる。特に、口金型のＬＥＤランプ１０２にあっては、灯具等とは異なり、それ単体で発熱を処理する必要があるため、高出力化が困難となっていた。
そこで本実施形態では、ＬＥＤランプ１０２の放熱性を次のようにして高めることとしている。
【００７１】
光源ユニット１１０にあっては、高熱伝導性材料から形成した基体６３の裏面６３Ｂに多数の放熱フィン１１５を一体に設け、実装基板１２のＬＥＤ１１の発熱が放熱フィン１１５を通じて放熱されるようになっている。放熱フィン１１５は、基体６３の幅方向に互いに平行に複数並べて設けられ、各放熱フィン１１５は、基体６３の各ストッパー１３Ｄ間に亘って長手方向に延びている。
光源ユニット１１０は、基体６３の裏面６３Ｂを内側に向けて、収容体１３０の周囲に片持ち支持される。また、光源ユニット１１０は、収容体１３０の軸線Ｋの周りに、光源ユニット１１０の各々の間に隙間Ｇを設けて配置される。これにより、ＬＥＤランプ１０２には、基体６３の裏面６３Ｂ側に、収容体１３０の軸線Ｋに沿って延び、隙間Ｇに連通する空間Ｒ１が形成される。この空間Ｒ１は、各光源ユニット１１０の裏面６３Ｂの上端から下端にかけて延び、外部と繋がり、通風路として機能する。各光源ユニット１１０の裏面６３Ｂの放熱フィン１１５から空間Ｒ１に放熱された熱は、隙間Ｇ、及び、結合部材６２の開口６２Ａを介して、ＬＥＤランプ１０２の放射方向、及び、軸線Ｋ方向に外部に放熱される。
【００７２】
以上説明したように、本実施形態によれば、複数の光源ユニット１１０の一端が収容体１３０の周囲に片持ち支持されている。この構成によれば、光源ユニット１１０の裏面６３Ｂ側に設けられる空間Ｒ１に、空間Ｒ１を流通する空気の流れを遮る部材、例えば第１実施形態の柱体２６やアーム２１、を設けることなく光源ユニット１１０を支持することができる。これにより、ＬＥＤランプ１０２を水平点灯させた場合でも、空間Ｒ１を空気が流通し易く、空間Ｒ１に面した放熱フィン１１５からの放熱性が高められる。また、柱体２６やアーム２１を設けることなく、光源ユニット１１０を収容体１３０の周囲に片持ち支持させることで、ＬＥＤランプ１０２全体としての総重量を低減させることができる。さらに、柱体２６やアーム２１を設けることなく、光源ユニット１１０を収容体１３０の周囲に片持ち支持させることで、ＬＥＤランプ１０２の重心位置を口金４０に近い位置に設けることができ、水平点灯時にＬＥＤランプ１０２が受けた振動等により口金４０やソケットに過負荷がかかるのを防止することができる。
【００７３】
また、本実施形態によれば、複数の光源ユニット１１０の他端（他端部）６１を結合部材６２で結合し、結合部材６２に、空間Ｒ１を軸線Ｋ方向に外部に連通させる開口６２Ａを設けている。この構成によれば、各光源ユニット１１０の裏面６３Ｂの放熱フィン１１５から空間Ｒ１に放熱された熱は、各光源ユニット１１０間の隙間Ｇ、と共に、結合部材６２の開口６２Ａを介して、ＬＥＤランプ１０２の放射方向、及び、軸線Ｋ方向に外部に放熱される。これにより、空間Ｒ１を空気が流通し易くすることができ、空間Ｒ１に面した放熱フィン１１５からの放熱性が高められるため、ＬＥＤ１１の発熱を十分に放熱することができる。
【００７４】
なお、上述した実施形態は、あくまでも本発明の一態様を示すものであって、本発明の趣旨を逸脱しない範囲で任意に変形、及び応用が可能である。
【００７５】
例えば、上述した実施形態では、口金４０を備える口金型のランプを説明したが、これに限らず、口金４０に代えて差込み型のコネクタを備える構成であってもよい。
【００７６】
また例えば、上述した実施形態において、支持体２０が備える柱体２６の形状として、アーム２１の端部を共に連結した断面Ｙ字状の形状を例示したが、これに限らず、軸線Ｋに沿って棒状の柱を配置し、その柱の周面からアーム２１が放射状に延びる構成としても良い。このときアーム２１は、軸線Ｋに沿って点在して光源ユニット１０の裏面に当接する構成としても良い。
【符号の説明】
【００７７】
１、１００、１０１、１０２  ＬＥＤランプ（ランプ）
１０、１１０  光源ユニット
１１  ＬＥＤ（発光素子）
１２  実装基板
１３、６３  基体
１３Ａ、６３Ａ  表面
１３Ｂ、６３Ｂ  裏面
１４、６４  防水カバー
１５、１１５  放熱フィン
２０  支持体
２１  凸部（アーム）
３０、１３０  収容体
４０  口金
５２  一端部（一端）
５３  他端部（他端）
５４  導入孔
５５  中央部
６２  結合部材
６２Ａ  開口
Ｇ  隙間
Ｋ  軸線
Ｒ、Ｒ１  空間
【図１】
0005559824.tif 000002
【図２】
0005559824.tif 000003
【図３】
0005559824.tif 000004
【図４】
0005559824.tif 000005
【図５】
0005559824.tif 000006
【図６】
0005559824.tif 000007
【図７】
0005559824.tif 000008
【図８】
0005559824.tif 000009
【図９】
0005559824.tif 000010
【図１０】
0005559824.tif 000011
【図１１】
0005559824.tif 000012
【図１２】
0005559824.tif 000013
【図１３】
0005559824.tif 000014
【図１４】
0005559824.tif 000015
【図１５】
0005559824.tif 000016
【図１６】
0005559824.tif 000017